(57)【要約】      （修正有）【課題】記念的ユニフォーム、写真を簡単な操作で展示、装着できるユニフォーム装着用小型額縁を提供する。【解決手段】ユニフォーム装着用額縁は、長方形状、又は正方形状の枠体１と枠体に透明性樹脂２を取り付けている表面側フレーム体と、表面側フレーム体内にフレーム体内部と同寸法でユニフォーム１２とＬサイズの記念写真１１との展示を可能にした開口部３、４を設けている展示板材５と、ユニフォームを皺なしで均一に装着できるような内部挿入型枠体と、ユニフォーム及び写真の展示を押し付け固着させるスポンジ体７と、スポンジ体を押し付け安定化させる裏板材８とからなり、表面側フレーム体の裏面に裏板材を嵌め込んで展着できるように構成される。【選択図】図４
0003225564.tif 000002
【実用新案登録請求の範囲】
【請求項１】
ユニフォーム装着用額縁において、長方形状、又は正方形状の枠体と前記枠体に透明性樹脂を取り付けている表面側フレーム体と、前記表面側フレーム体内にフレーム体内部と同寸法でユニフォームとＬサイズの記念写真との展示を可能にした開口部を設けている展示板材と，ユニフォームを皺なしで均一に装着できるような内部挿入型枠体と、ユニフォーム及び写真の展示を押し付け固着させるスポンジ体と、前記スポンジ体を押し付け安定化させる裏板材とからなって、前記表面側フレーム体の裏面に前記裏板材を嵌め込んで展着できるようになっていることを特徴とするユニフォーム装着用小型額縁。
【請求項２】
前記展示板材は、色紙材やフェルト材、又は布材、又は装飾材を貼った厚さ１１．５〜３ｍｍの平板材であって、前記展示板材の表面には上部１／２〜２／３の位置に縁端幅を３０〜５０ｍｍ設けてユニフォーム展示開口部にして、前記の展示板材の下部１／３〜１／２にＬサイズ版の写真を２〜３枚を入れ込まれる開口部になっており、前記展示開口部にユニフォームを装着させる内部挿入型枠体は、薄板状の樹脂製板材、又は紙製板材であり、折り畳み状ユニフォーム内に衣服型枠状にして差し込むようにしていることを特徴とする請求項１に記載のユニフォーム装着用小型額縁。
【請求項３】
アクリル樹脂製透明板とフレーム枠体とからなる表面側フレーム体に取り付ける展示板材には、ユニフォームを装着させるにマッチした色彩を持つ厚さ０．１〜１０ｍｍの色紙材やフェルト材、又は布材で、色彩として、青色、緑色、紫色、赤色、黒色、黄色、茶色、白色、灰色で選ばれた色彩にして１．５〜３ｍｍの合成板に張り付けて使用されて、装着ユニフォームと記念写真を裏側面で、展示板材の縦横同寸法で、表面の色彩と同様な色相を持つ１０〜３０ｍｍ厚さのスポンジ体と２〜３ｍｍ厚さの裏板材とを押し付けて固着させいることを特徴とする請求項１、又は請求項２に記載のユニフォーム装着用小型額縁。
【請求項４】
幅２０〜５０ｍｍ、厚さ２０〜５０ｍｍのモールディング材料の棹状フレーム材をカットして、縦４００〜７００ｍｍ、横４００〜７００ｍｍの長方形状、又は正方形状の枠体からなる表面側フレーム体である本額縁は、前面側に保護用として厚さ１．５〜３ｍｍのアクリル樹脂製透明樹脂板とそれをフレームに固定する前記展示板材にユニフォームと写真の展示スペースが設けられた前記額縁展示内面体ともって表面側フレーム体と、平板状スポンジ体と裏板材からなる裏面側固定体とを開閉式の一体の額縁として構成され、前記裏面側固定体を額縁の表面側フレーム体から取り外してユニフォームと写真を交換できるようになっていることを特徴とする請求項１〜請求項３のいずれかに記載のユニフォーム装着用小型額縁。
【考案の詳細な説明】
【技術分野】
【０００１】  本考案は、記念的ユニフォーム、写真を簡単な操作で展示、装着できるユニフォーム装着用小型額縁に関する。
【背景技術】
【０００２】  従来、衣服を飾る衣服用額縁として、例えば、和服用額縁があり、この和服用額縁では、額縁本体の内部に和服を収納する収納部を形成し、この収納部の上部側にバーを横向きに架設し、和服の裾柄部分などが表に現れるように折り畳んだ状態でバーに引っ掛けて飾っているものが提案されている（特許文献１参照。）。【０００３】  このような和服用額縁では、折り畳んで飾るため、飾れる衣服が和服などに限られ、例えば、サッカーや野球などのユニフォームなどのように着衣状態に広げて飾る衣服には適していない。そのため、ユニフォームなどについては、着衣形状に広げた状態でピンを直接刺して額縁の裏板に係止することにより、着衣形状で飾るようにしている。【０００４】衣服を折り曲げなどで傷めずに着衣形状で飾れる衣服装飾掛け額縁として、モールディング材料の棹状フレーム材をカットして、長方形状、又は正方形状又は多角形状の枠体額縁と、枠体額縁を固定して表示衣服の陳列を容易にする枠体寸法と同様なスペーサーと、スペーサーの裏面側に厚さ２〜５ｍｍの板材を取り付けて、板材の表面には種々の色彩を持つ布、又はフェルトを貼った裏板と額縁とスペーサーとからなる額縁表示内面体と、額縁表示内面体の上部の中央位置にフック状のハンガー取り付部を取り付け、取り付部に掛けるハンガー形式の衣服掛けとして、衣服の型枠になるようなハンガー形状に調整することが可能な材料とからなる額縁が提案されている（特許文献２参照）。【０００５】洋服を着衣される上で、実用的であると同時に装飾性を有するため、あらゆる場所に吊り下げることができ、係止手段と収納袋体を着脱自在に組合せることで、容易に製造することができると共に、係止手段の取り替えを可能にすることにより、あらゆる係止具を使用することができることを目的に、内部に種々の物品を収納、保管するために、襟部に相当する位置に開口部を、裾部に相当する位置に収納部分をそれぞれ形成した衣服形状を模した収納袋体と、収納袋体の両肩部に相当する位置に形成した、衣服用ハンガーを掛け止める掛止部と備えたものが提案されている（特許文献３参照）。【０００６】衣服を掛ける場合には、中心部に所定径の穴を設けた布材からなる方形又は多角形状のカバー本体に縁取り加工を施し、表面中心部に方形状に裁断し縫製加工を施した他の布材を複数折りにし、両端を連結することによって輪状に形成し、内部にゴム紐等の弾性材を挿着して中心部を絞った装飾布の穴を覆うように取り付け、カバー本体の裏面に前記穴の周辺に沿って裏当て布を取り付け、方形状のカバー本体の対峙する二つのコーナーに装飾体を設けた衣服カバーが提案されている（特許文献４参照）。【０００７】記念的ユニフォーム、写真を飾る交換、開閉可能で、小型簡易のユニフォーム装飾掛け額縁に関して、簡単にユニフォームの衣服を記念的、装飾的に着衣させる容易に装着できるユニフォーム装着用小型額縁は存在していない。
【先行技術文献】
【特許文献】
【０００８】
【特許文献１】特開平１１−３４６８８７号公報
【特許文献２】実用新案登録第３２１４７８８号公報
【特許文献３】特開２００３−２１０３０５号公報
【特許文献４】特開２００３−２９２０７６号公報
【考案の概要】
【考案が解決しようとする課題】
【０００９】ユニフォーム装着用小型額縁では、折り畳んで飾るため、飾れる衣服洋服などに限られ、例えば、サッカーや野球などのユニフォームなどのように着衣状態に広げて飾る衣服は折り畳んだり、皺の入った状態で飾ることになる。このように記念的ユニフォームや記念の写真を飾るにおいて、簡単に独自に装着できる額縁としては適当とは言えない。【００１０】  しかしながら、ユニフォームなどを飾る場合、ユニフォームにピンを直接刺すため、ユニフォームを傷める問題がある。本考案は、このような点に鑑みなされたもので、スポンジ体で型枠体を挿入したユニフォームを押し付けて傷めずにユニフォームの着衣形状で飾ることができる装飾的に写真とユニフォームとを装着できるユニフォーム装着用小型額縁を提供することを目的とする。
又、従来の額縁では、壁から降ろして、裏面を開けるなど手間がかかった衣類の入れ替えを容易にするために、ユニフォームなどを簡単に交換が出来る構造で取り外し型額縁の提供を課題としている。
【課題を解決するための手段】
【００１１】ユニフォーム装着用額縁において、長方形状、又は正方形状の枠体と前記枠体に透明性樹脂を取り付けている表面側フレーム体と、前記表面側フレーム体内にフレーム体内部と同寸法でユニフォームとＬサイズの記念写真との展示を可能にした開口部を設けている展示板材と，ユニフォームを皺なしで均一に装着できるような内部挿入型枠体と、ユニフォーム及び写真の展示を押し付け固着させるスポンジ体と、前記スポンジ体を押し付け安定化させる裏板材とからなって、前記表面側フレーム体の裏面に前記裏板材を嵌め込んで展着できるようになっているユニフォーム装着用小型額縁である。【００１２】前記展示板材は、色紙材やフェルト材、又は布材、又は装飾材を貼った厚さ１．５〜３ｍｍの平板材であって、前記展示板材の表面には上部１／２〜２／３の位置に縁端幅を３０〜５０ｍｍ設けてユニフォーム展示開口部にして、前記の展示板材の下部１／３〜１／２にＬサイズ版の写真を２〜３枚を入れ込まれる開口部になっており、前記展示開口部にユニフォームを装着させる内部挿入型枠体は、薄板状の樹脂製板材、又は紙製板材であり、折り畳み状ユニフォーム内に衣服型枠状にして差し込むようにしている。【００１３】アクリル樹脂製透明板とフレーム枠体とからなる表面側フレーム体に取り付ける展示板材には、ユニフォームを装着させるにマッチした色彩を持つ厚さ０．１〜１０ｍｍの色紙材やフェルト材、又は布材で、色彩として、青色、緑色、紫色、赤色、黒色、黄色、茶色、白色、灰色で選ばれた色彩にして１．５〜３ｍｍの合成板に張り付けて使用されて、装着ユニフォームと記念写真を裏側面で、展示板材の縦横同寸法で、表面の色彩と同様な色相を持つ１０〜３０ｍｍ厚さのスポンジ体と２〜３ｍｍ厚さの裏板材とを押し付けて固着させいる。【００１４】幅２０〜５０ｍｍ、厚さ２０〜５０ｍｍのモールディング材料の棹状フレーム材をカットして、縦４００〜７００ｍｍ、横４００〜７００ｍｍの長方形状、又は正方形状の枠体からなる表面側フレーム体である本額縁は、前面側に保護用として厚さ１．５〜３ｍｍのアクリル樹脂製透明樹脂板とそれをフレームに固定する前記展示板材にユニフォームと写真の展示スペースが設けられた前記額縁展示内面体ともって表面側フレーム体と、平板状スポンジ体と裏板材からなる裏面側固定体とを開閉式の一体の額縁として構成され、前記裏面側固定体を額縁の表面側フレーム体から取り外してユニフォームと写真を交換できるようになっている。
【考案の効果】
【００１５】サッカーや野球のユニフォームなどのように着衣状態に広げて飾る衣服を不自然に折り畳んだり、皺の入った状態で飾ることになく、記念的ユニフォームを簡単に独自に装着できて、記念の写真も飾れるようになって、簡単に取り付け可能になった。また展示板材とスポンジ体とで型枠体を挿入したユニフォームを挟んで、素材を傷めずにユニフォームの着衣形状で飾ることができる装飾的に写真とユニフォームとを装着できるユニフォーム装着用小型額縁を提供することができた。【００１６】額縁は前面の枠部（フレーム）の中に展示板材と写真とユニフォームを収納しており、裏板を開くと容易にユニフォーム展示物を交換できるように開閉できる構造にしたため、ユニフォームと写真とを飾る状態に保持して展示板材に容易に配置できるとともに、ユニフォームを折り畳んで装着した着衣形状のままコンパクトにまとめて飾ることができる。額縁裏部を開閉可能に設けたため、容易にユニフォームと写真を記念的、装飾的に飾ることができる。
【図面の簡単な説明】
【００１７】
【図１】ユニフォーム装着用小型額縁（写真なし）の斜視図
【図２】ユニフォーム装着用小型額縁における展示板材に型枠付きユニフォームと写真を取り付けた状態の斜視図
【図３】ユニフォーム装着用小型額縁の枠体の分解状態の斜視図（ユニフォームなし）Ａ：フレーム枠体−透明樹脂―展示板材−衣服型枠―スポンジ体−裏板
【図４】ユニフォーム装着用小型額縁の枠体の分解状態の斜視図（ユニフォームあり）Ａ：フレーム枠体−透明樹脂―展示板材−衣服型枠付きユニフォーム―スポンジ体−裏板
【図５】ユニフォーム装着用小型額縁での衣服型枠にユニフォームを取り付ける状態（クリップ付き表面とクリップ付き裏面）を示す図
【考案を実施するための形態】
【００１８】  以下、本考案の一実施の形態を図面を参照して説明する。
図１ないし図４に第１の実施の形態を示し、ユニフォーム用額縁で、この開閉可能な衣服用額縁によって飾る衣服としては、例えばサッカー、野球、バスケットボールなどの各種競技のアスリートの記念ユニフォームがある。
【実施例１】
【００１９】図３，４に示すように、ユニフォーム装着用額縁において、長方形状の枠体と前記枠体に透明性樹脂を取り付けている表面側フレーム体と、前記表面側フレーム体内にフレーム体内部と同寸法でユニフォームとＬサイズの記念写真との展示を可能にした開口部を設けている展示板材と，ユニフォームを皺なしで均一に装着できるような内部挿入型枠体と、ユニフォーム及び写真の展示を押し付け固着させるスポンジ体と、前記スポンジ体を押し付け安定化させる裏板材とからなって、前記表面側フレーム体の裏面に前記裏板材を嵌め込んで展着できるようになっている図２のユニフォーム装着用小型額縁である。【００２０】図３に示すように前記展示板材は、色紙材やフェルト材、又は布材、又は装飾材を貼った厚さ２ｍｍの平板材であって、前記展示板材の表面には上部２／３の位置に縁端幅を約５０ｍｍ設けてユニフォーム展示開口部にして、前記の展示板材の下部１／３にＬサイズ版の写真を２枚を入れ込まれる開口部になっており、前記展示開口部にユニフォームを装着させる内部挿入型枠体は、薄板状の樹脂製板材、又は紙製板材であり、折り畳み状ユニフォーム内に衣服型枠状にして差し込むようにした。【００２１】図４に示すようにアクリル樹脂製透明板とフレーム枠体とからなる表面側フレーム体に取り付ける展示板材には、ユニフォームを装着させるにマッチした色彩を持つ厚さ０．５ｍｍの色紙材で、色彩として、黒色色彩にして２ｍｍの合成板に張り付けて使用されて、装着ユニフォームと記念写真を裏側面で、展示板材の縦横同寸法で、表面の黒色彩と同様な色相を持つ２０ｍｍ厚さのスポンジ体と３ｍｍ厚さの裏板材とを押し付けて固着された。【００２２】幅２０ｍｍ、厚さ３５ｍｍのモールディング材料の棹状フレーム材をカットして、縦７００ｍｍ、横６００ｍｍの長方形状の枠体からなる表面側フレーム体である本額縁は、前面側に保護用として厚さ２ｍｍのアクリル樹脂製透明樹脂板とそれをフレームに固定する前記展示板材に、図５に示すように型枠を入れたクリップ付き折り畳みユニフォームと記念の写真を展示スペースに設けられた前記展示板材に貼り付けた前記額縁展示内面体にして、表面側フレーム体と、平板状スポンジ体と裏板材からなる裏面側固定体とを開閉式の一体の額縁として構成され、前記裏面側固定体を額縁の表面側フレーム体から取り外してユニフォームと写真を交換できるようにした。完成品は図２のようになり、簡単にユニフォームと写真が皺なく、整然と展示物となった。
【実施例２】
【００２３】実施例１と同様にユニフォーム装着用額縁において、長方形状の枠体と前記枠体に透明性樹脂を取り付けている表面側フレーム体と、前記表面側フレーム体内にフレーム体内部と同寸法でユニフォームとＬサイズの記念写真との展示を可能にした開口部を設けている展示板材と，ユニフォームを皺なしで均一に装着できるような内部挿入型枠体と、ユニフォーム及び写真の展示を押し付け固着させるスポンジ体と、前記スポンジ体を押し付け安定化させる裏板材にして、前記表面側フレーム体の裏面に前記裏板材を嵌め込んで展着できるようになったユニフォーム装着用小型額縁であった。【００２４】前記展示板材は、色紙材を貼った厚さ２ｍｍの平板材であって、前記展示板材の表面には上部２／３の位置に縁端幅を５０ｍｍ設けてユニフォーム展示開口部にして、前記の展示板材の下部１／３にＬサイズ版の写真を３枚を入れ込まれる開口部になっており、前記展示開口部にユニフォームを装着させる内部挿入型枠体は、薄板状の樹脂製板材であり、折り畳み状ユニフォーム内に衣服型枠状にして差し込むようにした。【００２５】アクリル樹脂製透明板とフレーム枠体とからなる表面側フレーム体に取り付ける展示板材には、ユニフォームを装着させるにマッチした色彩を持つ厚さ０．３ｍｍの色紙材で、色彩として、黒色色彩にして２ｍｍの合成板に張り付けて使用されて、装着したユニフォームと記念の写真を裏側面で、展示板材の縦横同寸法で、表面の青色彩と同様な色相を持つ２０ｍｍ厚さのスポンジ体と３ｍｍ厚さの裏板材とを押し付けて固着させた。【００２６】幅２０ｍｍ、厚さ３５ｍｍのモールディング材料の棹状フレーム材をカットして、縦７００ｍｍ、横６００ｍｍの長方形状の枠体からなる表面側フレーム体である本額縁は、前面側に保護用として厚さ２ｍｍのアクリル樹脂製透明樹脂板とそれをフレームに固定する前記展示板材に、図５に示すように型枠を入れたクリップ付き折り畳みユニフォームと記念の写真を展示スペースに設けられた前記展示板材に貼り付けた前記額縁展示内面体にして、表面側フレーム体と、平板状スポンジ体と裏板材からなる裏面側固定体とを開閉式の一体の額縁として構成され、前記裏面側固定体を額縁の表面側フレーム体から取り外してユニフォームと写真を交換できるようにした。完成品は図２のようになり、簡単にユニフォームと写真が皺なく、整然と展示物となった。
【実施例３】
【００２７】実施例１と同様に操作して作製されたユニフォーム装着用額縁において、長方形状の枠体と前記枠体に透明性樹脂を取り付けている表面側フレーム体と、前記表面側フレーム体内にフレーム体内部と同寸法でユニフォームとＬサイズの記念写真との展示を可能にした開口部を設けている展示板材と，ユニフォームを皺なしで均一に装着できるような内部挿入型枠体と、ユニフォーム及び写真の展示を押し付け固着させるスポンジ体と、前記スポンジ体を押し付け安定化させる裏板材とからなって、前記表面側フレーム体の裏面に前記裏板材を嵌め込んで展着できるようにしたユニフォーム装着用小型額縁である。【００２８】前記展示板材は、装飾材を貼った厚さ２ｍｍの平板材であって、前記展示板材の表面には上部１／２の位置に縁端幅を５０ｍｍ設けてユニフォーム展示開口部にして、前記の展示板材の下部１／２にＬサイズ版の写真を３枚を入れ込まれる開口部になっており、前記展示開口部にユニフォームを装着させる内部挿入型枠体は、薄板状の紙製板材であり、折り畳み状ユニフォーム内に衣服型枠状にして差し込むようにした。【００２９】アクリル樹脂製透明板とフレーム枠体とからなる表面側フレーム体に取り付ける展示板材には、ユニフォームを装着させるにマッチした色彩を持つ厚さ０．１〜１ｍｍの装飾材で、色彩として黒色色彩にして２ｍｍの合成板に張り付けて使用されて、装着ユニフォームと記念写真を裏側面で、展示板材の縦横同寸法で、表面の色彩と同様な色相を持つ２０ｍｍ厚さのスポンジ体と３ｍｍ厚さの裏板材とを押し付けて固着させた。【００３０】幅２０ｍｍ、厚さ３５ｍｍのモールディング材料の棹状フレーム材をカットして、縦７００ｍｍ、横５５０ｍｍの長方形状の枠体からなる表面側フレーム体である本額縁は、前面側に保護用として厚さ２ｍｍのアクリル樹脂製透明樹脂板とそれをフレームに固定する前記展示板材に、図５に示すように型枠を入れたクリップ付き折り畳みユニフォームと記念の写真を展示スペースに設けられた前記展示板材に貼り付けた前記額縁展示内面体にして、表面側フレーム体と、平板状スポンジ体と裏板材からなる裏面側固定体とを開閉式の一体の額縁として構成され、前記裏面側固定体を額縁の表面側フレーム体から取り外してユニフォームと写真を交換できるようにした。完成品は図２のようになり、簡単にユニフォームと写真が皺なく、整然と展示物となった。
【符号の説明】
【００３１】１    フレーム（枠）
２    アクリル樹脂製透明板
３    ユニフォーム展示開口部
４    写真展示開口部
５    展示板材
６    衣類袖
７    スポンジ体
８    裏板
９    衣服型枠
１０  ユニフォーム
１１  写真
１２  衣服型枠付きユニフォーム
１３  クリップ
【図１】
0003225564.tif 000003
【図２】
0003225564.tif 000004
【図３】
0003225564.tif 000005
【図４】
0003225564.tif 000006
【図５】
0003225564.tif 000007
【手続補正書】
【提出日】令和1年12月26日(2019.12.26)
【手続補正１】
【補正対象書類名】実用新案登録請求の範囲
【補正対象項目名】全文
【補正方法】変更
【補正の内容】
【実用新案登録請求の範囲】
【請求項１】
ユニフォーム装着用額縁において、長方形状、又は正方形状の枠体と前記枠体に透明性樹脂を取り付けている表面側フレーム体と、前記表面側フレーム体内にフレーム体内部と同寸法でユニフォームとＬサイズの記念写真との展示を可能にした開口部を設けている展示板材と，ユニフォームを皺なしで均一に装着できるような内部挿入型枠体と、ユニフォーム及び写真の展示を押し付け固着させるスポンジ体と、前記スポンジ体を押し付け安定化させる裏板材とからなって、前記表面側フレーム体の裏面に前記裏板材を嵌め込んで展着できるようになっていることを特徴とするユニフォーム装着用小型額縁。
【請求項２】
前記展示板材は、フェルト材、又は布材、又は装飾材を貼った厚さ１．５〜３ｍｍの平板材であって、前記展示板材の表面には上部１／２〜２／３の位置に縁端幅を３０〜５０ｍｍ設けてユニフォーム展示開口部にして、前記の展示板材の下部１／３〜１／２にＬサイズ版の写真を２〜３枚を入れ込まれる開口部になっており、前記展示開口部にユニフォームを装着させる内部挿入型枠体は薄板状の樹脂製板材、又は紙製板材であり、折り畳み状ユニフォーム内に衣服型枠状にして差し込むようにしていることを特徴とする請求項１に記載のユニフォーム装着用小型額縁。
【請求項３】
アクリル板押え用中桟とアクリル樹脂製透明板とフレーム枠体とからなる表面側フレーム体に取り付ける展示板材には、ユニフォームを装着させるにマッチした色彩を持つ厚さ０．１〜１０ｍｍのフェルト材、又は布材で、色彩として、青色、緑色、紫色、赤色、黒色、黄色、茶色、白色、灰色で選ばれた色彩にして２〜３ｍｍの合成板に張り付けて使用されて、装着ユニフォームと記念写真を裏側面で、展示板材の縦横同寸法で、表面の色彩と同様な色相を持つ１０〜３０ｍｍ厚さのスポンジ体と２〜３ｍｍ厚さの裏板材とを押し付けて固着させいることを特徴とする請求項１、又は請求項２に記載のユニフォーム装着用小型額縁。
【請求項４】
幅２０〜５０ｍｍ、厚さ２０〜４０ｍｍのモールディング材料の棹状フレーム材をカットして、縦４００〜７００ｍｍ、横４００〜７００ｍｍの長方形状、又は正方形状の枠体からなる表面側フレーム体である本額縁は、前面側に保護用として厚さ２〜５ｍｍのアクリル樹脂製透明樹脂板とそれをフレームに固定する前記展示板材にユニフォームと写真の展示スペースが設けられた額縁展示内面体ともった表面側フレーム体と、平板状スポンジ体と裏板材からなる裏面側固定体とを開閉式の一体の額縁として構成され、前記裏面側固定体を額縁の表面側フレーム体から取り外してユニフォームと写真を交換できるようになっていることを特徴とする請求項１〜請求項３のいずれかに記載のユニフォーム装着用小型額縁。